(57)【要約】【課題】  通信ネットワークで接続されない複数の情報処理装置の間で、コンテンツの転送が可能なコンテンツ転送システム、コンテンツ管理装置、コンテンツ再生装置、コンテンツ記録装置、及びコンテンツ転送方法を提供すること。【解決手段】  コンテンツ管理装置１８は、コンテンツデータを記録する記憶部１６と、リムーバブルメディア１０に書き込んだコンテンツ情報を管理するコンテンツ管理部１４とを備える。コンテンツ再生装置３０は、リムーバブルメディア１０からコンテンツデータを読出す記憶部２４と、記憶部２４に書き込んだコンテンツ情報を管理するコンテンツ管理部２２と、コンテンツの再生履歴情報を生成し記憶する再生履歴管理部２６とを備える。コンテンツ再生装置３０は、再生履歴情報をリムーバブルメディア１０に書き込み、コンテンツ管理装置１８はリムーバブルメディア１０に記録されている再生履歴情報に基づいてリムーバブルメディアに転送するコンテンツを選択する。【選択図】  図１
2006099329.tif 000002
【特許請求の範囲】
【請求項１】
コンテンツを管理するコンテンツ管理装置と、コンテンツを管理するコンテンツ管理装置からリムーバブルメディアを介して転送されたコンテンツデータを再生可能なコンテンツ再生装置と、を備え、
前記コンテンツ管理装置は、コンテンツデータを記憶する第一の記憶手段と、前記リムーバブルメディアと通信を行う第一の通信手段と、前記第一の記憶手段に記憶されているコンテンツを管理する第一のコンテンツ管理手段と、を有し、
前記コンテンツ再生装置は、コンテンツデータを記憶する第二の記憶手段と、前記記憶されているコンテンツデータを再生する再生手段と、前記再生されたコンテンツの再生履歴情報を生成して記憶する再生履歴管理手段と、前記リムーバブルメディアと通信を行う通信手段と、前記第二の記憶手段に記憶されているコンテンツを管理する第二のコンテンツ管理手段と、を有し、
前記第二の記憶手段は、前記再生履歴情報を前記第二の通信手段を介して前記リムーバブルメディアに書き込み、
前記第一のコンテンツ管理手段は、前記リムーバブルメディアから前記再生履歴情報を前記第一の通信手段を介して取得し、前記再生履歴情報に基づいて前記第一の記憶手段からコンテンツを選択して読み出し、前記読み出したコンテンツを前記第一の通信手段を介して前記リムーバブルメディアに書き込むコンテンツ転送システム。
【請求項２】
リムーバブルメディアを用いてコンテンツ再生装置へ転送可能なコンテンツデータを管理するコンテンツ管理装置であって、
コンテンツデータを記憶する記憶手段と、
前記リムーバブルメディアと通信を行う通信手段と、
前記リムーバブルメディアに記憶された、前記コンテンツ再生装置におけるコンテンツの再生履歴を示す再生履歴情報を前記通信手段を介して取得し、前記再生履歴情報に基づいて前記記憶手段からコンテンツを選択して読み出し、前記読み出したコンテンツを前記通信手段を介して前記リムーバブルメディアに書き込むコンテンツ管理手段と、
を備えるコンテンツ管理装置。
【請求項３】
請求項２記載のコンテンツ管理装置であって、
前記コンテンツ管理手段は、前記リムーバブルメディアにコンテンツを書き込む場合に、前記リムーバブルメディアに、前記コンテンツを書き込んだことを示すコピー履歴情報を書き込むコンテンツ管理装置。
【請求項４】
請求項２又は３記載のコンテンツ管理装置であって、
前記コンテンツ管理手段は、前記通信手段を介して前記リムーバブルメディアの空き容量を取得し、前記リムーバブルメディアの空き容量と前記リムーバブルメディアに転送すべきコンテンツのデータ量とを比較し、前記空き容量が前記転送すべきコンテンツのデータ量以下の場合にのみ、前記再生履歴に基づいたコンテンツの選択を行うコンテンツ管理装置。
【請求項５】
請求項４記載のコンテンツ管理装置であって、
前記コンテンツ管理手段は、前記コンテンツ再生履歴情報に基づいて前記転送すべきコンテンツに優先順位を決定し、前記空き容量以下のデータ量のコンテンツを前記優先順位に従って選択するコンテンツ管理装置。
【請求項６】
リムーバブルメディアを用いてコンテンツ再生装置へ転送可能なコンテンツデータを管理するコンテンツ管理装置であって、
コンテンツデータを記憶する記憶手段と、
前記リムーバブルメディアと通信を行う通信手段と、
前記記憶手段に記憶されているコンテンツを管理するコンテンツ管理手段と、
を備え、
前記コンテンツ管理手段は、前記リムーバブルメディアに記録されているコンテンツのコピー履歴情報を参照して前記記憶手段に記憶されているコンテンツを選択して読み出し、前記リムーバブルメディアに前記通信手段を介して書き込むと共に、前記コンテンツを書き込んだことを示す情報を書き込んで前記コピー履歴情報を更新するコンテンツ管理装置。
【請求項７】
請求項６記載のコンテンツ管理装置であって、
前記コンテンツ管理手段は、前記コピー履歴情報として、前記リムーバブルメディアに書き込んだコンテンツの書誌情報と、自装置の識別情報とを対応付けて書き込むコンテンツ管理装置。
【請求項８】
コンテンツを管理するコンテンツ管理装置からリムーバブルメディアを介して転送されたコンテンツデータを再生可能なコンテンツ再生装置であって、
コンテンツデータを記憶する記憶手段と、
前記記憶されているコンテンツデータを再生する再生手段と、
前記再生されたコンテンツの再生履歴情報を生成して記憶する再生履歴管理手段と、
前記リムーバブルメディアと通信を行う通信手段と、
前記再生履歴情報を前記第二の通信手段を介して前記リムーバブルメディアに書き込むコンテンツ管理手段と、
を備えるコンテンツ再生装置。
【請求項９】
コンテンツを管理するコンテンツ管理装置からリムーバブルメディアを介して転送されたコンテンツデータを再生可能なコンテンツ再生装置であって、
コンテンツデータを記憶する記憶手段と、
前記記憶手段に記憶されているコンテンツデータを再生するコンテンツ再生手段と、
前記コンテンツ再生手段によって再生されたコンテンツの再生履歴を示す再生履歴情報を管理する再生履歴管理手段と、
前記リムーバブルメディアとデータ通信を行う通信手段と、
前記通信手段を介して前記リムーバブルメディアに記憶されているコンテンツデータを読み出して前記記憶手段に記憶するときに、前記再生履歴情報を参照して、前記記憶手段に書き込むコンテンツを選択するコンテンツ管理手段と、
を備えるコンテンツ再生装置。
【請求項１０】
請求項９記載のコンテンツ再生装置であって、
前記コンテンツ管理手段は、前記リムーバブルメディアからコンテンツを読み出す場合に、前記リムーバブルメディアに、前記コンテンツを読み出したことを示すコピー履歴情報を書き込むコンテンツ再生装置。
【請求項１１】
請求項９又は１０記載のコンテンツ再生装置であって、
前記コンテンツ管理手段は、前記通信手段を介して前記リムーバブルメディアから読み出すべきコンテンツのデータ量を取得し、前記記憶手段の空き容量と前記転送すべきコンテンツのデータ量とを比較し、前記空き容量が前記転送すべきコンテンツのデータ量以下の場合にのみ、前記再生履歴に基づいたコンテンツの選択を行うコンテンツ再生装置。
【請求項１２】
請求項１１記載のコンテンツ再生装置であって、
前記コンテンツ管理手段は、前記コンテンツ再生履歴情報に基づいて前記転送すべきコンテンツに優先順位を決定し、前記空き容量以下のデータ量のコンテンツを前記優先順位に従って選択するコンテンツ再生装置。
【請求項１３】
コンテンツを管理するコンテンツ管理装置からリムーバブルメディアを介して転送されたコンテンツデータを記録可能なコンテンツ記録装置であって、
コンテンツデータを記憶する記憶手段と、
前記リムーバブルメディアとデータ通信を行う通信手段と、
前記記憶手段に記憶されているコンテンツを管理するコンテンツ管理手段と、
を備え、
前記コンテンツ管理手段は、前記通信手段を介して前記リムーバブルメディアに記録されているコンテンツのコピー履歴情報を参照して前記リムーバブルメディアに記憶されているコンテンツを選択して読み出し、前記記憶手段に書き込むと共に、前記コンテンツを読み出したことを示す情報を書き込んで前記コピー履歴情報を更新するコンテンツ記録装置。
【請求項１４】
請求項１３記載のコンテンツ記録装置であって、
前記コンテンツ管理手段は、前記コピー履歴情報として、前記リムーバブルメディアに書き込んだコンテンツの書誌情報と、自装置の識別情報とを対応付けて書き込むコンテンツ管理装置。
【請求項１５】
リムーバブルメディアを用いてコンテンツ再生装置へ転送可能なコンテンツデータを管理するコンテンツ管理装置におけるコンテンツ転送方法であって、
前記リムーバブルメディアに記憶された、前記コンテンツ再生装置におけるコンテンツの再生履歴を示す再生履歴情報を取得するステップと、
前記再生履歴情報に基づいてコンテンツデータが記憶されている記憶手段からコンテンツを選択して読み出すステップと、
前記読み出したコンテンツを前記リムーバブルメディアに書き込むステップと、
を有するコンテンツ転送方法。
【請求項１６】
リムーバブルメディアを用いてコンテンツ再生装置へ転送可能なコンテンツデータを管理するコンテンツ管理装置におけるコンテンツ転送方法であって、
前記リムーバブルメディアに記録されているコンテンツのコピー履歴情報を参照して前記記憶手段に記憶されているコンテンツを選択して読み出すステップと、
前記リムーバブルメディアに前記読み出したコンテンツを介して書き込むステップと、
前記コンテンツを書き込んだことを示す情報を前記リムーバブルメディアに書き込んで前記コピー履歴情報を更新するステップと、
を有するコンテンツ転送方法。
【請求項１７】
コンテンツを管理するコンテンツ管理装置からリムーバブルメディアを介して転送されたコンテンツデータを再生可能なコンテンツ再生装置におけるコンテンツ転送方法であって、
前記コンテンツ再生手段によって再生されたコンテンツの再生履歴を示す再生履歴情報を生成するステップと、
前記リムーバブルメディアに記憶されているコンテンツデータを読み出して記憶手段に記憶するときに、前記再生履歴情報を参照して、前記記憶手段に書き込むコンテンツを選択するステップと、
を有するコンテンツ転送方法。
【請求項１８】
コンテンツを管理するコンテンツ管理装置からリムーバブルメディアを介して転送されたコンテンツデータを記録可能なコンテンツ記録装置におけるコンテンツ転送方法であって、
前記リムーバブルメディアに記録されているコンテンツのコピー履歴情報を参照して前記リムーバブルメディアに記憶されているコンテンツを選択して読み出すステップと、
前記記憶手段に読み出したコンテンツを書き込むステップと、
前記コンテンツを読み出したことを示す情報を前記リムーバブルメディアに書き込んで前記コピー履歴情報を更新するステップと
を有するコンテンツ転送方法。
【請求項１９】
コンピュータに、請求項１５〜１８のいずれか一項記載の各ステップを実行させるコンテンツ転送プログラム。
【発明の詳細な説明】
【技術分野】
【０００１】
本発明は、情報処理装置の間でコンテンツデータを転送するコンテンツ転送システムに関する。
【背景技術】
【０００２】
従来、インターネット等の通信回線を介して接続された複数の情報処理装置の間で音楽等のコンテンツを転送する場合、ハイパーテキストトランスファープロトコル（HyperText Transfer Protocol：ｈｔｔｐ）等の規約に基づいて、ファイルの同期を取るものがあった（例えば、特許文献１参照）。
【０００３】
また、脱着型メモリを備えたデジタルメモリプレーヤと内蔵型メモリを備えたパーソナルコンピュータとを互いに接続して構成される音楽コンテンツ転送システムもあった（例えば、特許文献２参照）。
【０００４】
しかしながら、上記従来のコンテンツ転送システムにあっては、インターネット等の通信ネットワークで接続されない複数の情報処理装置の間でコンテンツ転送するための効果的なファイルの転送方法が難しいという事情があった。
【特許文献１】特開２００１−２２９０６５号公報
【特許文献２】特開２００３−２９７９５号公報
【発明の開示】
【発明が解決しようとする課題】
【０００５】
本発明は、上記従来の事情に鑑みてなされたものであって、通信ネットワークで接続されない複数の情報処理装置の間で、コンテンツの転送が可能なコンテンツ転送システム、コンテンツ管理装置、コンテンツ再生装置、コンテンツ記録装置、及びコンテンツ転送方法を提供することを目的とする。
【課題を解決するための手段】
【０００６】
本発明のコンテンツ転送システムは、コンテンツを管理するコンテンツ管理装置と、コンテンツを管理するコンテンツ管理装置からリムーバブルメディアを介して転送されたコンテンツデータを再生可能なコンテンツ再生装置と、を備え、前記コンテンツ管理装置は、コンテンツデータを記憶する第一の記憶手段と、前記リムーバブルメディアと通信を行う第一の通信手段と、前記第一の記憶手段に記憶されているコンテンツを管理する第一のコンテンツ管理手段と、を有し、前記コンテンツ再生装置は、コンテンツデータを記憶する第二の記憶手段と、前記記憶されているコンテンツデータを再生する再生手段と、前記再生されたコンテンツの再生履歴情報を生成して記憶する再生履歴管理手段と、前記リムーバブルメディアと通信を行う通信手段と、前記第二の記憶手段に記憶されているコンテンツを管理する第二のコンテンツ管理手段と、を有し、前記第二の記憶手段は、前記再生履歴情報を前記第二の通信手段を介して前記リムーバブルメディアに書き込み、前記第一のコンテンツ管理手段は、前記リムーバブルメディアから前記再生履歴情報を前記第一の通信手段を介して取得し、前記再生履歴情報に基づいて前記第一の記憶手段からコンテンツを選択して読み出し、前記読み出したコンテンツを前記第一の通信手段を介して前記リムーバブルメディアに書き込む。
【０００７】
この構成により、再生履歴情報を用いることで、コンテンツ管理装置からコンテンツ再生装置へ適切にコンテンツの転送を行うことができる。
【０００８】
本発明のコンテンツ管理装置は、リムーバブルメディアを用いてコンテンツ再生装置へ転送可能なコンテンツデータを管理するコンテンツ管理装置であって、コンテンツデータを記憶する記憶手段と、前記リムーバブルメディアと通信を行う通信手段と、前記リムーバブルメディアに記憶された、前記コンテンツ再生装置におけるコンテンツの再生履歴を示す再生履歴情報を前記通信手段を介して取得し、前記再生履歴情報に基づいて前記記憶手段からコンテンツを選択して読み出し、前記読み出したコンテンツを前記通信手段を介して前記リムーバブルメディアに書き込むコンテンツ管理手段と、を備える。
【０００９】
この構成により、再生履歴情報を用いることで、リムーバブルメディアへ適切にコンテンツを転送することができる。
【００１０】
また、本発明のコンテンツ管理装置において、前記コンテンツ管理手段は、前記リムーバブルメディアにコンテンツを書き込む場合に、前記リムーバブルメディアに、前記コンテンツを書き込んだことを示すコピー履歴情報を書き込む。
【００１１】
この構成により、リムーバブルメディアにコピー履歴情報を保持させるので、そのコピー履歴情報を用いてリムーバブルメディアへのコンテンツの転送を行うことができる。
【００１２】
また、本発明のコンテンツ管理装置において、前記コンテンツ管理手段は、前記通信手段を介して前記リムーバブルメディアの空き容量を取得し、前記リムーバブルメディアの空き容量と前記リムーバブルメディアに転送すべきコンテンツのデータ量とを比較し、前記空き容量が前記転送すべきコンテンツのデータ量以下の場合にのみ、前記再生履歴に基づいたコンテンツの選択を行う。
【００１３】
この構成により、リムーバブルメディアの空き容量が少ない場合に、再生履歴情報を用いることにより、適切なコンテンツの転送を行うことができる。
【００１４】
また、本発明のコンテンツ管理装置において、前記コンテンツ管理手段は、前記コンテンツ再生履歴情報に基づいて前記転送すべきコンテンツに優先順位を決定し、前記空き容量以下のデータ量のコンテンツを前記優先順位に従って選択する。
【００１５】
この構成により、リムーバブルメディアの空き容量が少ない場合に、再生履歴情報を用いることにより、適切なコンテンツの転送を行うことができる。
【００１６】
本発明のコンテンツ管理装置は、リムーバブルメディアを用いてコンテンツ再生装置へ転送可能なコンテンツデータを管理するコンテンツ管理装置であって、コンテンツデータを記憶する記憶手段と、前記リムーバブルメディアと通信を行う通信手段と、前記記憶手段に記憶されているコンテンツを管理するコンテンツ管理手段と、を備え、前記コンテンツ管理手段は、前記リムーバブルメディアに記録されているコンテンツのコピー履歴情報を参照して前記記憶手段に記憶されているコンテンツを選択して読み出し、前記リムーバブルメディアに前記通信手段を介して書き込むと共に、前記コンテンツを書き込んだことを示す情報を書き込んで前記コピー履歴情報を更新する。
【００１７】
この構成により、リムーバブルメディアにコピー履歴情報を保持させるので、そのコピー履歴情報を用いてリムーバブルメディアへのコンテンツの転送を行うことができる。
【００１８】
また、本発明のコンテンツ管理装置において、前記コンテンツ管理手段は、前記コピー履歴情報として、前記リムーバブルメディアに書き込んだコンテンツの書誌情報と、自装置の識別情報とを対応付けて書き込む。
【００１９】
この構成により、コピー履歴情報は自装置の識別情報を含むので、リムーバブルメディアが複数のコンテンツ管理装置からコンテンツをコピーするような場合でも、正確にコピー履歴情報を参照することができる。
【００２０】
本発明のコンテンツ再生装置は、コンテンツを管理するコンテンツ管理装置からリムーバブルメディアを介して転送されたコンテンツデータを再生可能なコンテンツ再生装置であって、コンテンツデータを記憶する記憶手段と、前記記憶されているコンテンツデータを再生する再生手段と、前記再生されたコンテンツの再生履歴情報を生成して記憶する再生履歴管理手段と、前記リムーバブルメディアと通信を行う通信手段と、前記再生履歴情報を前記第二の通信手段を介して前記リムーバブルメディアに書き込むコンテンツ管理手段と、を備える。
【００２１】
この構成により、リムーバブルメディアに再生履歴情報を書き込むことで、コンテンツ管理装置側でコンテンツの転送に再生履歴情報を利用することが可能となる。
【００２２】
本発明のコンテンツ再生装置は、コンテンツを管理するコンテンツ管理装置からリムーバブルメディアを介して転送されたコンテンツデータを再生可能なコンテンツ再生装置であって、コンテンツデータを記憶する記憶手段と、前記記憶手段に記憶されているコンテンツデータを再生するコンテンツ再生手段と、前記コンテンツ再生手段によって再生されたコンテンツの再生履歴を示す再生履歴情報を管理する再生履歴管理手段と、前記リムーバブルメディアとデータ通信を行う通信手段と、前記通信手段を介して前記リムーバブルメディアに記憶されているコンテンツデータを読み出して前記記憶手段に記憶するときに、前記再生履歴情報を参照して、前記記憶手段に書き込むコンテンツを選択するコンテンツ管理手段と、を備える。
【００２３】
この構成により、再生履歴情報を用いることで、リムーバブルメディアを介したコンテンツ管理装置からのコンテンツの転送を適切に行うことができる。
【００２４】
また、本発明のコンテンツ再生装置において、前記コンテンツ管理手段は、前記リムーバブルメディアからコンテンツを読み出す場合に、前記リムーバブルメディアに、前記コンテンツを読み出したことを示すコピー履歴情報を書き込む。
【００２５】
この構成により、リムーバブルメディアにコピー履歴情報を保持させるので、そのコピー履歴情報を用いてリムーバブルメディアからのコンテンツの転送を行うことができる。
【００２６】
また、本発明のコンテンツ再生装置において、前記コンテンツ管理手段は、前記通信手段を介して前記リムーバブルメディアから読み出すべきコンテンツのデータ量を取得し、前記記憶手段の空き容量と前記転送すべきコンテンツのデータ量とを比較し、前記空き容量が前記転送すべきコンテンツのデータ量以下の場合にのみ、前記再生履歴に基づいたコンテンツの選択を行う。
【００２７】
この構成により、コンテンツ再生装置の記憶空き容量が少ない場合に、再生履歴情報を用いることにより、適切なコンテンツの転送を行うことができる。
【００２８】
また、本発明のコンテンツ再生装置において、前記コンテンツ管理手段は、前記コンテンツ再生履歴情報に基づいて前記転送すべきコンテンツに優先順位を決定し、前記空き容量以下のデータ量のコンテンツを前記優先順位に従って選択する。
【００２９】
この構成により、コンテンツ再生装置の記憶空き容量が少ない場合に、再生履歴情報を用いることにより、適切なコンテンツの転送を行うことができる。
【００３０】
本発明のコンテンツ記録装置は、コンテンツを管理するコンテンツ管理装置からリムーバブルメディアを介して転送されたコンテンツデータを記録可能なコンテンツ記録装置であって、コンテンツデータを記憶する記憶手段と、前記リムーバブルメディアとデータ通信を行う通信手段と、前記記憶手段に記憶されているコンテンツを管理するコンテンツ管理手段と、を備え、前記コンテンツ管理手段は、前記通信手段を介して前記リムーバブルメディアに記録されているコンテンツのコピー履歴情報を参照して前記リムーバブルメディアに記憶されているコンテンツを選択して読み出し、前記記憶手段に書き込むと共に、前記コンテンツを読み出したことを示す情報を書き込んで前記コピー履歴情報を更新する。
【００３１】
この構成により、リムーバブルメディアにコピー履歴情報を保持させるので、そのコピー履歴情報を用いてリムーバブルメディアからのコンテンツの転送を行うことができる。
【００３２】
本発明のコンテンツ記録装置において、前記コンテンツ管理手段は、前記コピー履歴情報として、前記リムーバブルメディアに書き込んだコンテンツの書誌情報と、自装置の識別情報とを対応付けて書き込む。
【００３３】
この構成により、コピー履歴情報は自装置の識別情報を含むので、リムーバブルメディアが複数のコンテンツ再生装置へコンテンツをコピーするような場合でも、正確にコピー履歴情報を参照することができる。
【００３４】
本発明のコンテンツ転送方法は、リムーバブルメディアを用いてコンテンツ再生装置へ転送可能なコンテンツデータを管理するコンテンツ管理装置におけるコンテンツ転送方法であって、前記リムーバブルメディアに記憶された、前記コンテンツ再生装置におけるコンテンツの再生履歴を示す再生履歴情報を取得するステップと、前記再生履歴情報に基づいてコンテンツデータが記憶されている記憶手段からコンテンツを選択して読み出すステップと、前記読み出したコンテンツを前記リムーバブルメディアに書き込むステップと、を有する。
【００３５】
この方法により、再生履歴情報を用いることで、リムーバブルメディアへ適切にコンテンツを転送することができる。
【００３６】
また、本発明のコンテンツ転送方法は、リムーバブルメディアを用いてコンテンツ再生装置へ転送可能なコンテンツデータを管理するコンテンツ管理装置におけるコンテンツ転送方法であって、前記リムーバブルメディアに記録されているコンテンツのコピー履歴情報を参照して前記記憶手段に記憶されているコンテンツを選択して読み出すステップと、前記リムーバブルメディアに前記読み出したコンテンツを介して書き込むステップと、前記コンテンツを書き込んだことを示す情報を前記リムーバブルメディアに書き込んで前記コピー履歴情報を更新するステップと、を有する。
【００３７】
この方法により、リムーバブルメディアにコピー履歴情報を保持させるので、そのコピー履歴情報を用いてリムーバブルメディアへのコンテンツの転送を行うことができる。
【００３８】
本発明のコンテンツ転送方法は、コンテンツを管理するコンテンツ管理装置からリムーバブルメディアを介して転送されたコンテンツデータを再生可能なコンテンツ再生装置におけるコンテンツ転送方法であって、前記コンテンツ再生手段によって再生されたコンテンツの再生履歴を示す再生履歴情報を生成するステップと、前記リムーバブルメディアに記憶されているコンテンツデータを読み出して記憶手段に記憶するときに、前記再生履歴情報を参照して、前記記憶手段に書き込むコンテンツを選択するステップと、を有する。
【００３９】
この方法により、再生履歴情報を用いることで、リムーバブルメディアを介したコンテンツ管理装置からのコンテンツの転送を適切に行うことができる。
【００４０】
本発明のコンテンツ転送方法は、コンテンツを管理するコンテンツ管理装置からリムーバブルメディアを介して転送されたコンテンツデータを記録可能なコンテンツ記録装置におけるコンテンツ転送方法であって、前記リムーバブルメディアに記録されているコンテンツのコピー履歴情報を参照して前記リムーバブルメディアに記憶されているコンテンツを選択して読み出すステップと、前記記憶手段に読み出したコンテンツを書き込むステップと、前記コンテンツを読み出したことを示す情報を前記リムーバブルメディアに書き込んで前記コピー履歴情報を更新するステップとを有する。
【００４１】
この方法により、リムーバブルメディアにコピー履歴情報を保持させるので、そのコピー履歴情報を用いてリムーバブルメディアからのコンテンツの転送を行うことができる。
【００４２】
本発明は、上記のコンテンツ転送方法のいずれかの各ステップを実行させるコンテンツ転送プログラムを提供する。このプログラムにより、通信ネットワークで接続されていない装置間において、リムーバブルメディアを用いたコンテンツの転送を行うことができる。
【発明の効果】
【００４３】
本発明によれば、通信ネットワークで接続されない複数の情報処理装置の間で、コンテンツの転送が可能なコンテンツ転送システム、コンテンツ管理装置、コンテンツ再生装置、コンテンツ記録装置、及びコンテンツ転送方法を提供することができる。
【発明を実施するための最良の形態】
【００４４】
図１は、本発明の実施形態のコンテンツ転送システムの概略構成を示す図である。本発明の実施形態のコンテンツ転送システムは、リムーバブルメディア１０と、例えば家庭に設置する家庭用コンテンツ管理装置１８と、そして例えば車両等に設置する車載用コンテンツ再生装置３０とを備える。
【００４５】
リムーバブルメディア１０は、例えば、駆動装置から取り外して使うことができるデータ書込可能コンパクトディスク（Compact Disc Recordable：ＣＤ−Ｒ）やＤＶＤ−ＲＡＭ、小型メモリカード（Secure Digital：ＳＤ）、ハードディスク、半導体メモリ等の記憶媒体である。
【００４６】
家庭用コンテンツ管理装置１８は、パーソナルコンピュータ（Personal Computer：以下ＰＣと称す）等のコンテンツ管理装置であり、リムーバブルメディア１０を駆動するメディアドライブ部１２と、リムーバブルメディア１０のコンテンツのコピー履歴情報、コンテンツリスト、再生履歴情報、等を管理するコンテンツ管理部１４と、コンテンツを記憶する記憶部１６とを含む。
【００４７】
また、家庭用コンテンツ管理装置１８は、リムーバブルメディア１０からコンテンツを取得可能なほか、図示しない有線／無線の通信回線を介してコンテンツを取得しても良い。
【００４８】
車載用コンテンツ再生装置３０は、例えばハードディスクドライブ（Hard Disc Drive：ＨＤＤ）等の記憶装置からコンテンツを再生する装置であり、リムーバブルメディア１０を駆動するメディアドライブ部２０と、リムーバブルメディア１０のコンテンツのコピー履歴情報、再生履歴情報、コンテンツリスト等を管理するコンテンツ管理部２２と、コンテンツを記憶する記憶部２４と、コンテンツを再生した履歴を管理する再生履歴管理部２６と、そしてコンテンツを再生するコンテンツ再生部２８とを含む。
【００４９】
後述するように、ＰＣ等の家庭用コンテンツ管理装置１８は、矢印９で示す通りリムーバブルメディア１０に記録されたコピー履歴情報及び／又は再生履歴情報に基づいて例えば音楽等のコンテンツを記憶部１６からリムーバブルメディア１０に記録し、コピー履歴情報を更新する。
【００５０】
また、車載用コンテンツ再生装置３０は、矢印１１で示す通りリムーバブルメディア１０のコピー履歴情報に基づいて例えば音楽等のコンテンツをリムーバブルメディア１０から記憶部２４に記録し、リムーバブルメディア１０の再生履歴情報を更新する。
【００５１】
図２は、リムーバブルメディアに記録されているコンテンツのコピー履歴情報レコードの一例を示す図である。なお、本実施形態では、コンテンツが楽曲である場合について説明する。コピー履歴情報レコード３２は、コピーした日時を示すコピー日時３４、コンテンツの書誌情報を示すコンテンツ書誌情報３６、コピー元の装置の識別情報を示すコピー元装置ＩＤ４６、コピー先の装置の識別情報を示すコピー先装置ＩＤ４８、等を含む。
【００５２】
コンテンツ書誌情報３６は、コンテンツの名称を示すコンテンツ名３８、歌手の名前を示す歌手名４０、コンテンツのジャンルを示すジャンル４２、発売した年度を示す発売年４４、等を含む。
【００５３】
コピー履歴情報レコード３２は、リムーバブルメディア１０に記録され、家庭用コンテンツ管理装置１８の記憶部１６及び車載用コンテンツ再生装置３０の記憶部２４にもそれぞれ記録され管理される。
【００５４】
家庭用コンテンツ管理装置１８で処理するコンテンツの書誌情報の一覧情報を示すコンテンツリスト（家）は、家庭用コンテンツ管理装置１８の記憶部１６に記録され管理される。また、車載用コンテンツ再生装置３０で処理するコンテンツの書誌情報の一覧情報を示すコンテンツリスト（車）は、車載用コンテンツ再生装置３０の記憶部２４に記録され管理される。また、これらのコンテンツリストは、リムーバブルメディア１０にも記録されてもよく、その場合、互いの装置がどのようなコンテンツを所有しているかを知ることができる。リムーバブルメディア１０内のコンテンツ書誌情報の一覧情報は、コンテンツリスト（メディア）としてリムーバブルメディア１０に記録される。
【００５５】
図３は、リムーバブルメディアのコンテンツを再生した場合の再生履歴情報レコードの一例を示す図である。再生履歴情報レコード５０は、コンテンツを再生した日時を示す再生日時５２及びコンテンツの書誌情報を示すコンテンツ書誌情報５４を含む。コンテンツ書誌情報５４は、コンテンツ名５６、歌手名５８、ジャンル６０、そして発売年６２を含む。再生履歴情報レコード５０は、車載用コンテンツ再生装置３０の記憶部２４に記録され管理されるとともに、リムーバブルメディア１０にも記録される。
【００５６】
図４は、本発明の実施形態のコンテンツ管理装置の動作を示すフローチャートである。  まず、リムーバブルメディア１０と通信が可能な状態で、コンテンツ管理部１４が車載用コンテンツ再生装置３０とコピー履歴情報にないコンテンツを家庭用コンテンツ管理装置１８の記憶部１６から検索し選択する（ステップＳ１）。なお、このコピー履歴情報におけるコピー元ＩＤと自装置のＩＤとを比較することで、そのＩＤが一致したコンテンツが既にそのリムーバブルメディアにコピーしたコンテンツであると判断できる。コピー済みのコンテンツの転送を省くことで、転送時間の低減及びリムーバブルディスクの記憶容量の使用を節減することができる。
【００５７】
次いで、ステップ１で選択したコンテンツのデータ量と、リムーバブルメディア１０の空き容量とを比較する（ステップＳ２）。リムーバブルメディア１０の空き容量が選択したコンテンツデータ量より等しいか大きい場合は（ステップＳ３のＹＥＳ）、選択したコンテンツを記憶部１６からリムーバブルメディア１０にコピーし、ステップＳ８でリムーバブルメディア１０のコピー履歴情報を更新する（ステップＳ４）。
【００５８】
リムーバブルメディア１０の空き容量が選択したコンテンツデータ量より小さい場合は（ステップＳ３のＮＯ）、リムーバブルメディア１０の再生履歴情報レコード５０の内容に基づいて、コンテンツの優先順位を生成する（ステップＳ５）。次いで、空き容量以下のデータ量のコンテンツを優先順位に従って選択する（ステップＳ６）。
【００５９】
次に、選択したコンテンツを記憶部１６からリムーバブルメディア１０にコピーし（ステップＳ７）、リムーバブルメディア１０のコピー履歴情報を更新する（ステップＳ８）。
【００６０】
なお、家庭用コンテンツ管理装置１８からリムーバブルメディア１０へコピーする際、コピー履歴情報のコピー先装置ＩＤ４８に対して、コピー済みであればコンテンツを削除してもよい。
【００６１】
図５は、本発明の実施形態のコンテンツ再生装置の動作を示すフローチャートである。  まず、リムーバブルメディア１０と通信が可能な状態で、コンテンツ管理部２２がコピー履歴情報に基づいてコンテンツをリムーバブルメディア１０から選択する（ステップＳ１０）。なお、このコピー履歴情報におけるコピー先ＩＤと自装置のＩＤとを比較することで、そのＩＤが一致したコンテンツが既に再生装置側にコピーしたコンテンツであると判断できる。そして、コピー済みのコンテンツの転送を省くことで、転送時間の低減及びコンテンツ再生装置の記憶容量の使用を節減することができる。
【００６２】
次いで、選択したコンテンツのデータ量と、記憶部２４の空き容量とを比較する（ステップＳ１１）。記憶部２４の空き容量がデータ量よりも等しいか大きい場合は（ステップＳ１２のＹＥＳ）、選択したコンテンツをリムーバブルメディア１０から記憶部２４にコピーし（ステップＳ１３）、リムーバブルメディア１０の再生履歴情報を更新する（ステップＳ１７）。
【００６３】
記憶部２４の空き容量がデータ量よりも小さい場合は（ステップＳ１２のＮＯ）、再生履歴情報レコード５０の内容に基づいて、再生するコンテンツの優先順位を決定する（ステップＳ１４）。次いで、空き容量以下のデータ量のコンテンツを優先順位に従って選択する（ステップＳ１５）。
【００６４】
次に、選択したコンテンツをリムーバブルメディア１０から記憶部２４にコピーし（ステップＳ１６）、リムーバブルメディア１０の再生履歴情報を更新する（ステップＳ１７）。
【００６５】
ここで、上記の再生履歴情報は、車載用コンテンツ再生装置３０で再生されたコンテンツの傾向を取得するために利用される。その後、家庭用コンテンツ管理装置１８は、この傾向に基づいた優先順位に従って、記憶部１６からリムーバブルメディア１０にコンテンツをコピーしてもよい。
【００６６】
なお、記録媒体に１回限りコピーが可能な著作権保護技術であるコピーワンスのコンテンツは、書換え型のディスクに転送した後、オリジナルデータを消去するムーブ（移動）としてもよい。
【００６７】
図６は、コンテンツの優先順位を説明するための図である。このコンテンツの優先順位は、ＰＣ等の家庭用コンテンツ管理装置１８が記憶部１６に記憶されたコンテンツリストを再生履歴情報レコード５０の情報に基づいて優先順位の高い順にソートしたものである。
【００６８】
すでに述べたようにコンテンツリスト（家）及びコンテンツリスト（車）は、家庭用コンテンツ管理装置１８及び車載用コンテンツ再生装置３０にそれぞれ記憶され管理されており、また、これらのコンテンツリスト及びコンテンツリスト（メディア）はリムーバブルメディア１０に記憶されている。
【００６９】
コンテンツの優先順位は、例えば同図に示すように、ジャンル６０、歌手名５８、発売年６２、コンテンツ名５６の順にまず、コンテンツ書誌情報の項目ごとに所定の優先順位が決定される。そして、その項目において再生履歴情報に基づいて決められる。図示した例では、ジャンル６０において、「ヒップホップ（ＨＩＰＨＯＰ）」が「ジェイポップ（Ｊ−ＰＯＰ）」よりも優先順位が高くなっている。また、発売年６２は、この例では新しい発売年度ほど優先順位が高い。このようにして決定された優先順位に基づいてコンテンツリストをソートする。
【００７０】
なお、項目ごとの優先順位は、使用者により任意に設定可能である。また、すべての項目において再生履歴情報に基づいた優先順位を反映する必要はなく、少なくとも一つの項目において再生履歴情報に基づいた優先順位を反映すればよい。
【００７１】
ここで、リムーバブルメディアへコピーするコンテンツ７０とリムーバブルメディアの空き容量７２との関係は、同図右方に示すようにリムーバブルメディアの空き容量７２以内となる。したがって、優先順位の高いコンテンツ、すなわち利用者が再生する傾向の高いと推定されるコンテンツを転送することができる。
【００７２】
図６の例では、家庭用コンテンツ管理装置１８からリムーバブルメディア１０へコンテンツを転送する場合におけるコンテンツの優先順位の決定方法について説明したが、リムーバブルメディア１０から車載用コンテンツ再生装置３０にコンテンツを転送する場合におけるコンテンツの優先順位の決定方法も同様である。
【００７３】
なお、リムーバブルメディア１０の空き容量に関する情報はリムーバブルメディア１０自体が持っていてもよいし、家庭用コンテンツ管理装置１８がリムーバブルメディア１０から取得してもよい。
【００７４】
このような本実施形態のコンテンツ転送システムによれば、コピー履歴情報及び再生履歴情報を含むリムーバブルメディア１０を用いることにより、通信ネットワーク接続されていない情報処理装置の間でコンテンツ転送することが可能となる。したがって、異なる情報処理装置の間でファイルの同期を行うことが可能となる。
【００７５】
さらに、コンテンツの優先順位情報を採用したので、車載用コンテンツ再生装置３０の記憶部２４の空き容量がたとえ小さくても、過去に車載機器などで視聴したコンテンツの再生履歴情報に基づいてリムーバブルメディアの空き領域が不足しないよう優先的に転送するコンテンツのジャンルなどを決定することにより、優先順位に従ってコンテンツを転送することができるので、ユーザが記憶容量を意識しなくともユーザの嗜好に応じたコンテンツ転送できる。
【００７６】
なお、本発明が上記実施形態に限定されず、本発明の技術思想の範囲内において、実施形態は適宜変更され得ることはあきらかである。
【産業上の利用可能性】
【００７７】
本発明のコンテンツ転送システム、コンテンツ管理装置、コンテンツ再生装置、コンテンツ記録装置、及びコンテンツ転送方法は、通信ネットワークで接続されない複数の情報処理装置の間で、コンテンツの転送が可能な効果を有し、車載コンテンツ再生装置へのコンテンツ転送等に有用である。
【図面の簡単な説明】
【００７８】
【図１】本発明の実施形態のコンテンツ転送システムの概略構成を示す図
【図２】リムーバブルメディアに記録されているコンテンツのコピー履歴情報レコードの一例を示す図
【図３】リムーバブルメディアのコンテンツを再生した場合の再生履歴情報レコードの一例を示す図
【図４】本発明の実施形態のコンテンツ管理装置の動作を示すフローチャート
【図５】本発明の実施形態のコンテンツ再生装置の動作を示すフローチャート
【図６】コンテンツの優先順位を説明するための図
【符号の説明】
【００７９】
１０  リムーバブルメディア
１２  メディアドライブ部
１４  コンテンツ管理部
１６  記憶部
１８  家庭用コンテンツ管理装置
２０  メディアドライブ部
２２  コンテンツ管理部
２４  記憶部
２６  再生履歴管理部
２８  コンテンツ再生部
３０  車載用コンテンツ再生装置
【図１】
2006099329.tif 000003
【図２】
2006099329.tif 000004
【図３】
2006099329.tif 000005
【図４】
2006099329.tif 000006
【図５】
2006099329.tif 000007
【図６】
2006099329.tif 000008